(57)【要約】【課題】  地震対策、熱伸び対策等として、たて材の変形を防止することができる建具を提供することを目的とする。【解決手段】  実施例１は、図１（Ａ）（Ｂ）及び図２のように、たて材としての障子の召合かまち１に横材としての障子の中さん２を取付ける場合に、離隔材３を介在させ、前記中さん２の端部２０を召合かまち１に呑み込ませると共に、中さん２の端面２１を離隔材３の一面３０に、その離隔材３の他面３１を召合かまち１に、それぞれ当接させて取付けている。【選択図】図１
2010229720.tif 000002
【特許請求の範囲】
【請求項１】
建具の横材の少なくともいずれか一方の端部とたて材とを接続する箇所に、その端部とたて材を離隔させる離隔材を介在させ、前記横材の端部をたて材に呑み込ませると共に、前記横材の端部の端面と前記離隔材とたて材とを当接可能に取付けたことを特徴とする建具。
【請求項２】
建具の横材の少なくともいずれか一方の端部とたて材とを接続する箇所に、その端部とたて材を離隔させる離隔材を介在させ、前記横材の端部の側面と前記離隔材とたて材とを当接可能に取付けたことを特徴とする建具。
【請求項３】
建具の横材の少なくともいずれか一方の端部とたて材とを接続する箇所に、その端部とたて材を離隔させる離隔材を介在させ、前記横材の端部をたて材に呑み込ませると共に、前記横材の端部の端面と前記離隔材とたて材とを当接可能に、且つ、前記横材の端部の側面と前記離隔材とたて材とを当接可能に取付けたことを特徴とする建具。
【請求項４】
前記離隔材の外郭が横材の端面形状に略一致していることを特徴とする請求項１に記載の建具。
【請求項５】
前記横材の端部の下方に、その横材をガイドするガイド片を前記たて材に固定したことを特徴とする請求項１乃至４の何れかに記載の建具。
【発明の詳細な説明】
【技術分野】
【０００１】
本発明は、地震等の外力を受けた場合に建具の面内方向に生じる応力を吸収可能な建具に関する。
【背景技術】
【０００２】
障子を構成する框の通常の組立ては、図１０のように、たてかまちの上下に上下かまちの両端部を当接させてネジ止めしていたり、また、中骨（中さん）２に対しても、その両端部を左右の召合かまち１及びたてかまちに当接させてネジ止めしていた。
【０００３】
このような組立ては、当業者において通常、実施されているものであり、出願人は、この従来技術が記載された特許公開公報等の特許文献を本願出願時においては知見していない。
【発明の概要】
【発明が解決しようとする課題】
【０００４】
しかし、かかる従来技術には次のような課題があった。
第１に、地震等により外力を受けた障子等の建具においては、その中骨が面内方向に変位して、その端部が当接している召合かまち等のたて材に押圧力を加え、そのたて材が変形を受ける恐れがあったこと、
第２に、たて材の変形の恐れは、地震等により外力ばかりではなく、中骨の「熱伸び」によっても懸念されていたこと、
第３に、特に召合かまちは、たてかまちが躯体に押さえられる位置にあるために、中骨から集中的に力を受けて、変形を受けやすかったこと、
である。
【０００５】
そこで、本願発明は、地震対策、熱伸び対策等として、召合かまち等のたて材の変形を防止することができる建具を提供することを目的とする。
【課題を解決するための手段】
【０００６】
上記課題を解決するため、本願発明は、建具の横材の少なくともいずれか一方の端部とたて材とを接続する箇所に、その端部とたて材を離隔させる離隔材を介在させ、前記横材の端部をたて材に呑み込ませると共に、前記横材の端部の端面と前記離隔材とたて材とを当接可能に取付けたことを特徴とする建具とした（請求項１の発明）。
【０００７】
また、上記課題を解決するため、本願発明は、建具の横材の少なくともいずれか一方の端部とたて材とを接続する箇所に、その端部とたて材を離隔させる離隔材を介在させ、前記横材の端部の側面と前記離隔材とたて材とを当接可能に取付けたことを特徴とする建具とした（請求項２の発明）。
【０００８】
また、上記課題を解決するため、本願発明は、建具の横材の少なくともいずれか一方の端部とたて材とを接続する箇所に、その端部とたて材を離隔させる離隔材を介在させ、前記横材の端部をたて材に呑み込ませると共に、前記横材の端部の端面と前記離隔材とたて材とを当接可能に、且つ、前記横材の端部の側面と前記離隔材とたて材とを当接可能に取付けたことを特徴とする建具とした（請求項３の発明）。
【０００９】
上記発明において、前記離隔材の外郭が横材の端面形状に略一致しているようにしてもよい（請求項４の発明）。
【００１０】
上記各発明において、前記横材の端部の下方に、その横材をガイドするガイド片を前記たて材に固定してもよい（請求項５の発明）。
【発明の効果】
【００１１】
本発明によれば、建具の横材の少なくともいずれか一方の端部とたて材とを接続する箇所に、その端部とたて材を離隔させる離隔材を介在させたので、横材のたて材に対する押圧力が、直接、たて材に作用せず、地震対策、熱伸び対策等として、たて材の変形を防止することができる建具を提供することができる。
【図面の簡単な説明】
【００１２】
【図１】図１（Ａ）は実施例１に係る建具としての障子の要部横断面図であり、図１（Ｂ）は図１（Ａ）のＡ−Ａ線矢視断面図である。
【図２】図２は図１の障子の要部分解斜視図である。
【図３】図３（Ａ）及び図３（Ｂ）は図２に示したガイド片の取付説明図である。
【図４】図４（Ａ）は実施例２に係る障子の要部横断面図ある。図４（Ｂ）は図４（Ａ）のＡ−Ａ線矢視断面図である。図４（Ｃ）及び図４（Ｄ）は同障子の要部側面図である。図４（Ｅ）は変形例に係る障子の要部横断面図ある。
【図５】図５は図４の障子の要部分解斜視図である。
【図６】図６（Ａ）は実施例３に係る障子の要部横断面図ある。図６（Ｂ）は図６（Ａ）のＡ−Ａ線矢視断面図である。
【図７】図７は図６の障子の要部分解斜視図である。
【図８】図８（Ａ）は実施例４に係る障子の要部横断面図ある。図８（Ｂ）は図８（Ａ）のＡ−Ａ線矢視断面図である。図８（Ｃ）は同障子の要部側面図である
【図９】図９は図８の障子の要部分解斜視図である。
【図１０】従来例を示す障子の分解斜視図である。
【発明を実施するための最良の形態】
【００１３】
本発明に係る建具は、その実施例が各図において引違い障子について示されている。建具としての他の障子、ドアの扉、枠等においても実施することができる。
【実施例１】
【００１４】
実施例１は、図１（Ａ）（Ｂ）及び図２のように、たて材としての障子の召合かまち１に横材としての障子の中さん２を接続する場合に、その端部２０と召合かまち１を離隔させる離隔材３を介在させ、前記中さん２の端部２０を召合かまち１に呑み込ませると共に、中さん２の端面２１を離隔材３の一面３０に、その離隔材３の他面３１を召合かまち１に、それぞれ当接可能に取付けている。
【００１５】
前記召合かまち１は、前記中さん２の端部２０を呑み込むための凹部１０を備えている。
この凹部１０は、本実施例の場合、前記召合かまち１の長手方向に形成されている障子に取り付けられるガラスの端部を受ける溝のヒレを必要に応じて、切欠いて形成されている。よって凹部１０は横材の端部を呑み込むことができる凹状の構成であればよい。
【００１６】
前記中さん２は、その端部２０の両外側面２２，２３が、前記召合かまち１の凹部１０の両内側面１１、１２に当接または近接するように取付けられており、召合かまち１と中さん２の接合強度を高めている。
【００１７】
前記離隔材３は、その外郭が中さん２の端面２１の形状に略一致させて成形されている。即ち、前記離隔材３は、障子に取り付けられるガラスの端部を受けることができる受け溝３２と、その底に設けられ且つ中さん２を固定するためのネジを通過させるネジ溝３３と、本体３４の重量を軽減させるための孔３５を設けている。
前記離隔材３の厚さは、前記中さん２からの押圧力に対抗でき、且つ、中さん端部２０の前記凹部１０に対する呑み込みを妨げない程度であればよい。
前記離隔材３の材質は限定されることはなく、例えば合成樹脂により成形されている。
なお、前記ネジ溝３３に代えて、本体３４に丸孔を設けてもよい。
【００１８】
以上のように構成された障子においては、前記召合かまち１の凹部１０に予め前記離隔材３を両面テープ等を用いてセットしておき、これに前記中さん２の端面２１を突き当ててネジ止めすればよい。
【００１９】
図２及び図３のように、前記中さん端部２０の下方の前記召合かまち１に、ガイド片４を固定してもよい。これは、押圧力が加えられた中さん２の端部２０を前記離隔材３の一面３０方向にガイドするものである。また中さん２の端部２０を召合かまち１に取り付ける際のガイドになるものである。
【００２０】
なお、この実施例１では、召合かまち１に中さん２を接続する場合の構成例であったが、障子のたてかまち（図示せず）に中さん２を接続する場合に前記
離隔材３を介在させてもよい。
また、障子を構成する上下かまちについても前記離隔材３を介在させて前記召合かまち１又は／及びたてかまちに固定してもよい。
その他、建具を構成する横材としての上枠の端部とたて材としてのたて枠との関係でも、前記離隔材３を介在させてもよい。
【００２１】
以上の障子の構成によれば次のような作用効果を奏する。
ａ．  地震等の外力により中さん２が障子の面内方向に変位し、その端部２０が召合かまち１の方向に押圧力を加えても、前記離隔材３が中さん２の端面２１からの力を受けるので、その力は直接には召合かまち１に伝達されない。よって召合かまち１の変形防止に有効である。
ｂ．  より強い押圧力の場合には、前記離隔材３が変形するので、召合かまち１の変形防止に有効である。
ｃ．  前記離隔材３が変形する場合には、ネジが前記ネジ溝３３を介して、押圧力の方向に逃げることで、召合かまち１の板厚部１ａの変形防止に有効である。
ｄ．  前記離隔材３のネジ溝３３がネジの前記中さん２に対する進行方向のガイドなり、取り付けを円滑に行うことができる。
ｅ．  前記離隔材３の外郭が中さん２の縦方向の断面形状に略一致させて成形されているので、召合かまち１に対する押圧力は、その板厚部１ａに垂直に加えられる場合のみならず、垂直方向以外の方向からの押圧力に対しても対応できる。
ｆ．  ネジにより、前記召合かまち１に中さん２を固定する場合、前記離隔材３がネジのトルクを調整する作用を果たし、過度の絞め付けによる前記召合かまち１の板厚部１ａに対する破損や、絞め付け不足による不具合の発生を防ぐことができる。
ｇ．  前記中さん２の端部２０の両外側面２２，２３が、前記召合かまち１の凹部１０の両内側面１１，１２に当接または近接するように取付けられており、かつ、前記中さん２の端面２１と召合かまち１がそれぞれ離隔材３に当接して取付けてられているので、召合かまち１と中さん２の接合強度を高めている。
ｈ．  前記離隔材３は中さん２等の熱伸び対策にも有用である。
ｉ．    ガイド片４が、中さん２の押圧力の方向を規制し、押圧力を確実に離隔材３で受け止めることができる。
【実施例２】
【００２２】
次に、実施例２の構成を図４及び図５に基づいて説明する。
実施例２においては、実施例１と同様に離隔材３（図示省略）を介在させて前記召合かまち１に前記中さん２を接合させており、その特徴は中さん端部２０の側面の外側端面２４と召合かまち１との間に離隔材５の両端５０，５１を当接可能に取付けている点にある。
【００２３】
前記離隔材５は、長方形状の薄板状のもので、縦寸法が中さん２の高さ寸法と略一致している。横寸法は、前記中さん２の押圧力に対抗できる程度の幅であればよい。
【００２４】
前記離隔材５の一端５０が召合かまち１に当接する箇所は、その召合かまち１の自由端１３、或いは突き当て面１４として、それらの個所の曲がり等の変形を防止できるようにしている。
また、図４（Ａ）〜（Ｄ）では、前記離隔材５は障子の一側面にのみ取り付けられているが、中さん２の見込み寸法（厚み）が大きい場合には、障子の他側面にも前記離隔材５を配置してもよい（図４（Ｅ）参照）。
【００２５】
以上のように構成された障子においては、前記中さん２に前記離隔材５をネジ止めしておき、前記中さん２の端部２０と召合かまち１とをネジ止めすればよい。
その他の構成は、上記実施例１に共通している。
【００２６】
この実施例２の構成においては、次のような作用効果を奏する。
ｊ．  前記離隔材５は、中さん２の外側端面２４と召合かまち１の自由端１３、或いは突き当て面１４にそれぞれ当接しているので、それらの個所の曲がり等の変形を防止できる。
【実施例３】
【００２７】
次に、実施例３の構成を図６及び図７に基づいて説明する。
実施例３は、前記召合かまち１に前記中さん２を取付け場合に離隔材６を介在させる構成は上記実施例と共通し、その特徴点は中さん２の端部２０に離隔材６を圧入して取付可能にしたもので、その離隔材６が中さん２の端面２１と召合かまち１との間に当接して取付けられている。
【００２８】
前記離隔材６は、中さん２の端面２１と召合かまち１とがそれぞれ当接する離隔部６０と、その離隔部６０から中さん２方向に略水平に突出する圧入部６１からなる。
前記離隔部６０は、中さん２の端面２１の縦幅と横幅をカバーする、略長方形の本体６２と、この本体６２に設けられたネジ孔６３を備えている。
前記圧入部６１は、ガラス端部を逃げることができる位置に設けられており、その横張辺６４が中さん２の内側に圧着されつつ挿入可能となっている。
かかる離隔材６は予め中さん２にセットされるか、召合かまち１側に取付けられて、その圧入部６１が中さん２に圧入されるようにしてもよい。
【００２９】
この実施例３の構成においては、次のような作用効果を奏する。
ｋ．  離隔材６は予め中さん２にセットすることができるので、前記離隔材６のセット済みの中さん２の端面２１を突き当ててネジ止めすればよく、作業が容易になる。
ｌ．  離隔材６の圧入部６１が、中さん２の押圧力の方向を規制し、押圧力を確実に離隔部６０で受け止めることができる。
その他の構成は、上記実施例１の構成と同様で、作用効果も同様である。
【実施例４】
【００３０】
次に、実施例４の構成を図８及び図９に基づいて説明する。
図８及び図９のように、前記召合かまち１に前記中さん２を取付け場合に離隔材７を介在させる構成は各実施例と共通しているが、その特徴は前記離隔材７が、前記離隔材５に相当する第１の離隔部７０と、前記離隔材３に相当する第２の離隔部７１から構成される点である。
即ち、中さん２の外側端面２４と召合かまち１の自由端１３との間に第１の離隔部７０を当接させ、中さん２の端面２１と召合かまち１との間に第２の隔離部７１を当接させて取付けている。
【００３１】
前記第１の離隔部７０は障子の一側面用にのみ形成されているが、中さんの見込み寸法（厚み）が大きい場合には、他側面用に前記第１の離隔部７０と同様な離隔部を形成し、配置してもよい。
【００３２】
この実施例４の構成においては、次のような作用効果を奏する。
ｍ．  第１の離隔部７０と第２の離隔部７１から構成されていることから、上記各実施例の場合よりも、強い押圧力に対抗することが可能で、召合かまち１の変形防止に有効である。
その他の構成及び効果は、上記各実施例と同様である。
【符号の説明】
【００３３】
１  召合かまち
１ａ  板厚部
１０  凹部                              １１  １２  両内側面
１３  召合かまちの自由端                １４  突き当て面
２  中さん
２０  端部                              ２１  端面
２２  ２３  両外側面                    ２４  中さんの外側端面
３  離隔材
３０  離隔材の一面                      ３１  離隔材の他面
３２  受け溝
３３  ネジ溝                            ３４  本体
３５  孔
４  ガイド片
５  離隔材
５０  ５１  離隔材の両端
６  離隔材
６０  離隔部                            ６１  圧入部
６２  本体                              ６３  ネジ孔
６４  横張辺
７  離隔材
７０  第１の離隔部                      ７１  第２の離隔部
【図１】
2010229720.tif 000003
【図２】
2010229720.tif 000004
【図３】
2010229720.tif 000005
【図４】
2010229720.tif 000006
【図５】
2010229720.tif 000007
【図６】
2010229720.tif 000008
【図７】
2010229720.tif 000009
【図８】
2010229720.tif 000010
【図９】
2010229720.tif 000011
【図１０】
2010229720.tif 000012